(57)【要約】      （修正有）【課題】円周方向に回動可能で、かつ重い対象物を掛けた場合でも落下せず、さらに使用の際には邪魔にならない掛け具の提供。【解決手段】外周面に、円周方向に延在する溝部ｈが形成された円筒状または円柱状の支柱ｐに着脱自在に設けられ、上記支柱ｐの外周を円周方向に回動自在に囲繞する本体１と、上記本体１に連結されることにより、上記対象物が吊持される掛け部６とを備えてなり、上記本体１は、一端部９間が開閉自在となるように他端部１０同士が連結されるとともに、内周面が上記支柱ｐの外周面に沿う円弧状に形成された一対の第１および第２の本体１ａ，１ｂを有し、これら上記第１および第２の本体１ａ，１ｂの上記一端部９側の少なくとも一方に上記掛け部６が連結される。【選択図】図１
2008284126.tif 000002
【特許請求の範囲】
【請求項１】
外周面に、円周方向に延在する溝部が形成された円筒状または円柱状の支柱に着脱自在に設けられ、対象物を吊持するための掛け具であって、
上記支柱の外周を円周方向に回動自在に囲繞する本体と、上記本体に連結されることにより、上記対象物が吊持される掛け部とを備えてなり、
上記本体は、一端部間が開閉自在となるように他端部同士が連結されるとともに、内周面が上記支柱の外周面に沿う円弧状に形成された一対の第１および第２の本体を有し、これら上記第１および第２の本体の上記一端部側の少なくとも一方に上記掛け部が連結されるとともに、上記第１および第２の本体の少なくとも一方の上記内周面に、上記支柱の溝部に係合して上記本体の軸線方向への移動を阻止する突出部が形成されていることを特徴とする掛け具。
【請求項２】
上記掛け部は、鉤状に形成されていることを特徴とする請求項１に記載の掛け具。
【請求項３】
上記本体と上記掛け部とを連結する連結部は、各々上記第１および第２の本体の上記一端部から径方向に突出するとともに、上記支柱に取り付けられて互いに連結された際に全体として軸線方向に逆Ｕ字状をなす第１および第２凸部と、上記掛け部の上記鉤状に形成された部分と反対側の背面部に形成されて上記第１および第２凸部が挿入される逆Ｕ字状の凹部とを有し、
かつ上記第１および第２凸部に、上記軸線方向に延在するスリットを設けるとともに、上記凹部内に上記スリットに嵌合する突部を設けたことを特徴とする請求項２に記載の掛け具。
【発明の詳細な説明】
【技術分野】
【０００１】
本発明は、円筒または円柱の外周面の円周方向に溝が形成された支柱に、着脱自在に設けられた構造の掛け具に関するものである。
【背景技術】
【０００２】
一般的に、衣類または鞄等を掛けるための掛け具は、室内の壁や柱等に取り付ける場所を決めた後、ネジやクギなどを用いて固定し、使用されているものが多い。ところが、このような掛け具は、取り付ける際に手間がかかるとともに、使用場所が限定され、一度取り付ける場所を決めてしまうと、他に移動する際にも手間がかかる。また、使用しない時も壁や柱から突出しているために、通行の妨げにもなるなど問題点がある。
【０００３】
そこで、例えば下記特許文献１のように、必要に応じて使用できる着脱自在の掛け具が提案されている。
【０００４】
この掛け具は、連結部の両端に弾性部を介して形成した吊り下げ部と、該吊り下げ部から延長された直線部と、該直線部の先端に形成された挟持部と、該挟持部の一方から垂下された垂下部と、該垂下部の先端に形成された円弧部と、前記挟持部の他方から延長される前記円弧部と重なり合う締め付け部とを一本の弾性線で形成した吊り下げ具本体と、前記直線部に挿入され移動することによって前記挟持部の間隔をを狭める締め付けリングとから構成したものである。
【０００５】
一方、組み立て式の棚として、金属製で外周面の円周方向に溝が設けられた支柱と、四隅に嵌合管が設けられた長方形または正方形の棚板と、上記棚板を支持する棚板固定部品とで構成され、上記支柱の上部から上記棚板固定部品を希望する任意の位置まで差し込み、その上から上記棚板を上記棚板固定部品まで差し込んで固定する組み立て式の棚が知られている。上記組み立て式の棚は、家庭内での使用に適したサイズが容易に組み立てられ、また組み換えられることから、需要が高まってきている。
【特許文献１】実開平４−１１５４７６号公報
【発明の開示】
【発明が解決しようとする課題】
【０００６】
ところが、特許文献１に記載の吊り下げ具を、上記組み立て式棚の支柱に取り付けた場合に、この吊り下げ具は、上記支柱に圧接されて固定するものであるため、対象物が落ちないように圧接力を強化して取り付けると固定されて動かなくなり、対象物を吊持するためのアーム部の向きが決まってしまう。また逆に、向きを固定させない程度に圧接力を調節して取り付けると、重い対象物を掛けた際に、掛け具ごと落下してしまう。
【０００７】
さらに、上記アーム部は、上記支柱に挟持するのに用いる上記締め付けリングを具備しており、上記アーム部の上記挟持部側を開いて上記支柱に取り付ける際に、上記締め付けリングを上記吊り下げ部側に待避させる必要があり、そのため上記アーム部を長く形成しないと、上記挟持部側を開くことができなくなる。したがって、使用の際には上記支柱から外方に多く突出するため、場所を取り邪魔となるなど問題点がある。
【０００８】
本発明は、上記組み立て式棚の支柱に取り付けた場合、円周方向に回動可能で、かつ重い対象物を掛けた場合でも落下せず、さらに使用の際には邪魔にならない掛け具を提供することを課題とするものである。
【課題を解決するための手段】
【０００９】
上記課題を解決するために、請求項１に記載の発明は、外周面に、円周方向に延在する溝部が形成された円筒状または円柱状の支柱に着脱自在に設けられ、対象物を吊持するための掛け具であって、上記支柱の外周を円周方向に回動自在に囲繞する本体と、上記本体に連結されることにより、上記対象物が吊持される掛け部とを備えてなり、上記本体は、一端部間が開閉自在となるように他端部同士が連結されるとともに、内周面が上記支柱の外周面に沿う円弧状に形成された一対の第１および第２の本体を有し、これら上記第１および第２の本体の上記一端部側の少なくとも一方に上記掛け部が連結されるとともに、上記第１および第２の本体の少なくとも一方の上記内周面に、上記支柱の溝部に係合して上記本体の軸線方向への移動を阻止する突出部が形成されていることを特徴とするものである。
【００１０】
また、請求項２に記載の本発明は、請求項１に記載の掛け具において、上記掛け部が、鉤状に形成されていることを特徴とするものである。
【００１１】
さらに、請求項３に記載の本発明は、請求項２に記載の掛け具において、上記本体と上記掛け部とを連結する連結部は、各々上記第１および第２の本体の上記一端部から径方向に突出するとともに、上記支柱に取り付けられて互いに連結された際に全体として軸線方向に逆Ｕ字状をなす第１および第２凸部と、上記掛け部の上記鉤状に形成された部分と反対側の背面部に形成されて上記第１および第２凸部が挿入される逆Ｕ字状の凹部とを有し、かつ上記第１および第２凸部に、上記軸線方向に延在するスリットを設けるとともに、上記凹部内に上記スリットに嵌合する突部を設けたことを特徴とするものである。
【発明の効果】
【００１２】
請求項１に記載の本発明によれば、本体は、支柱の外周を円周方向に３６０度回動自在に取り付けられているため、上記本体を上記支柱に対して回動させることによって、対象物を吊持するる掛け部の位置や向きを、その都度変えることができる。また、上記本体と対象物が吊持される上記掛け部とを連結可能に構成することによって、上記掛け部は、用途に応じて色々な形状のものに換えることができる。さらに、上記支柱の溝部と、上記本体の内周面に形成された突出部とを係合させているために、重い対象物を上記掛け部へ吊持させても掛け具ごと落下することはなくなる。
【００１３】
請求項２に記載の本発明によれば、掛け部は、鉤状に形成されているため、対象物を簡単に掛けることができ、かつ対象物が滑り落ちたり、ぶつかった拍子に外れたりすることがない。さらに、上記掛け部を鉤状に形成することで、上記支柱から外方に突出する長さを短くすることができ、邪魔になったり、ぶつかって怪我をすることがなくなる。
【００１４】
請求項３に記載の本発明によれば、連結部は、上記一端部から径方向に突出し、軸線方向に逆Ｕ字状をなす凸部に、上記掛け部の背面部に形成された逆Ｕ字状をなす凹部を係合することにより、上記第１および第２の本体の開閉自在となる上記一端部間を確実に固定できるとともに、上記軸線方向の脱落も防止できる。また、上記逆Ｕ字状をなす上記凸部に設けられたスリットに、上記掛け部の上記逆Ｕ字状をなす上記凹部内に設けられた突部を嵌合させることで、径方向外方への脱落も防止することができる。さらに、上記掛け部に対象物を吊持した際には、その重みで固定が強化され、丈夫な掛け具となる。
【発明を実施するための最良の形態】
【００１５】
図１〜６は、本発明の掛け具の一実施形態を示すものである。この掛け具は、支柱ｐに本体１を囲繞させて、本体１に掛け部６を連結させて取り付ける構造のものである。
【００１６】
図６に示すように、支柱ｐは、円筒状または円柱状であり、外周面の円周方向に延在する溝ｈが長手方向に等間隔において複数形成されている。
【００１７】
この支柱ｐに取り付けて使用する上記掛け具は、図１〜５に示すように、支柱ｐの外周面に沿って内周面が支柱ｐの外径寸法と同じ、または僅かに大きい半径の円弧面に形成された本体１と、この本体１に連結して設けられる支柱ｐから外方に突出して対象物が吊持される掛け具６とから構成されている。
【００１８】
そして、本体１は、図２（ａ）に示すように、一対の第１の本体１ａと第２の本体１ｂとからなり、この第１の本体１ａおよび第２の本体１ｂは、一端部９間が開閉自在となるように、他端部１０間が連結されている。すなわち、この本体１は、第１の本体１ａの他端部１０に突設されたピン部１２を、第２の本体１ｂの他端部１０に穿設された孔部１３に嵌合させることにより、回動自在に一体化される。
【００１９】
さらに、第１の本体１ａおよび第２の本体１ｂの内周面の中央部には、円弧面に沿って線状の突出部８が形成されている。また、この突出部８は、支柱ｐに形成された溝ｈに嵌り込む高さ寸法に形成されている。なお、第１の本体１ａの突出部８は、円弧面の中心に対して１０５度の角度範囲に形成されている。また、第２の本体１ｂの突出部８は、円弧面の中心に対して７０度の角度範囲に形成されている。
【００２０】
また、図２（ｂ）に示すように、開閉自在となる一端部９側には、第１の本体１ａに第１凸部２ａが、第２の本体１ｂに第２凸部２ｂがそれぞれ形成されている。この第１凸部および第２凸部２ａ，２ｂは、第１の本体１ａと第２の本体１ｂを閉じたとき、全体として軸線方向に逆Ｕ字状をなすように形成されている。さらに、凸部２には、第１の本体１ａの第１凸部２ａと、第２の本体１ｂの第２凸部２ｂの合わせ面５と反対側の側面に、軸線方向に延在するスリット４が、それぞれ形成されている。
【００２１】
他方、掛け部６は、本体１と連結して、本体１の外方へと突出するように鉤状に形成されている。また、図３（ｂ）に示すように、掛け部６には、鉤状に形成された部分と反対側の背面部６ａの軸線方向に、逆Ｕ字状をなす凹部７が形成されている。さらに、図３（ａ）に示すように、凹部７には、本体１の凸部２に形成されているスリット４に係合する突部７ａが、凹部７の対向する内壁に形成されている。
【００２２】
以上の構成からなる掛け具を支柱ｐに取り付け使用するには、まず図５に示すように、本体１の第１の本体１ａおよび第２の本体１ｂの一方の内周面に形成された突出部８を、支柱ｐに形成された溝ｈ内に挿入して、他方を支柱ｐの他方側から挟み込むように閉じる。
【００２３】
次いで図１に示すように、この第１の本体１ａと第２の本体１ｂの一端部９側に形成された凸部２に、掛け部６の鉤状に形成された部分と反対側の背面部６ａに形成された凹部７を、本体１の凸部２の上面３よりスライドさせながら係合し、凹部７の上部７ｂに係止させる。
【００２４】
このとき、第１の本体１ａおよび第２の本体１ｂに形成された第１凸部２ａおよび第２凸部２ｂに設けられているそれぞれのスリット４に、掛け部６の鉤状に形成された部分と反対側の背面部６ａに形成された凹部７内に設けられている突部７ａとが嵌合され、第１の本体１ａと第２の本体１ｂの一端部６側は、しっかりと固定される。
【００２５】
上述の実施形態の掛け具によれば、本体１は、支柱ｐの外周を円周方向に３６０度回動自在に取り付けられているため、本体１を支柱ｐに対して回動させることによって、対象物を吊持するる掛け部６の位置や向きを、その都度変えることができる。また、本体１と対象物が吊持される掛け部６とを連結可能に構成することによって、掛け部６は、用途に応じて色々な形状のものに換えることができる。さらに、支柱ｐの溝部ｈと、本体１の内周面に形成された突出部８とを係合させているために、重い対象物を掛け部６へ吊持させても掛け具ごと落下することはなくなる。
【００２６】
また、掛け部６は、鉤状に形成されているため、対象物を簡単に掛けることができ、かつ対象物が滑り落ちたり、ぶつかった拍子に外れたりすることはない。さらに、掛け部６を鉤状に形成することで、支柱ｐから外方に突出する長さを短くすることができ、邪魔になったり、ぶつかって怪我をすることはなくなる。
【００２７】
さらに、連結部１１は、上記一端部９から径方向に突出し、軸線方向に逆Ｕ字状をなす凸部２に、掛け部６の背面部６ａに形成された逆Ｕ字状をなす凹部７を係合することにより、第１および第２の本体１ａ，１ｂの開閉自在となる一端部９間を確実に固定できるとともに、上記軸線方向の脱落も防止できる。また、上記逆Ｕ字状をなす凸部２に設けられたスリット４に、掛け部６の上記逆Ｕ字状をなす凹部７内に設けられた突部７ａを嵌合させることで、径方向外方への脱落も防止することができる。さらに、掛け部６に対象物を吊持した際には、その重みで固定が強化され、丈夫な掛け具となる。
【００２８】
さらに、支柱ｐが円筒または円柱であり、かつ外周面の円周方向に溝部ｈが形成されているものであれば、必要に応じて使用したい時に取り付けることができる。この際に、この掛け具によれば、本体１に支柱ｐを挟み込んで閉じ、次いで、掛け部６を本体１に連結させるという簡単な作業で、取り付けることが出来る。
【００２９】
なお、上記実施の形態では、掛け具として鉤状の掛け具６を用いた場合についてのみ説明したが、これに限定されるものではなく、例えば、水平方向に引っかけるタイプのものでも良く、また、ダブルフックといった連結部材でも対応可能である。また、連結部１１においても、係合する形状を逆Ｕ字状とした場合についてのみ説明したが、これに限定されるものではなく、例えば、Ｕ字状に係合する形状でも対応可能である。その場合は、本体１に凹部が形成され、掛け具６には凸部が形成されるものとなる。
【図面の簡単な説明】
【００３０】
【図１】本発明の一実施形態を示す全体の斜視図である。
【図２】第１の本体および第２の本体の構成を示す斜視図である。
【図３】掛け部の構成を示し、（ａ）は斜視図、（ｂ）は背面図である。
【図４】本発明の一実施形態を示す平面図を示し、（ａ）は本体、（ｂ）は掛け具である。
【図５】本発明の一実施形態を示す斜視図である。
【図６】本発明の一実施形態を示す全体の斜視図である。
【符号の説明】
【００３１】
１  本体
１ａ  第１の本体
１ｂ  第２の本体
２  凸部
２ａ  第１凸部
２ｂ  第２凸部
３  上面
４  スリット
５  合わせ面
６  掛け部
６ａ  背面部
７  凹部
７ａ  突部
７ｂ  上部
８  突出部
９  一端部
１０  他端部
１１  連結部
１２  ピン部
１３  孔部
ｐ  支柱
ｈ  溝部
【図１】
2008284126.tif 000003
【図２】
2008284126.tif 000004
【図３】
2008284126.tif 000005
【図４】
2008284126.tif 000006
【図５】
2008284126.tif 000007
【図６】
2008284126.tif 000008